(57)【特許請求の範囲】
【請求項１】
室内に開口された吹出口から送風を吹き出すとともに前記室内に設けられた吸入口から室内空気を吸い込み、この吸入空気を前記吹出口から吹き出す循環送風を形成する送風装置と、
前記吸入口近傍に設けられ、前記循環送風により運ばれる埃や塵を集める集塵部と、
前記集塵部よりも下流において前記循環送風の経路中に配置され、前記循環送風に含まれる埃や塵を除去して濾過するフィルタと、
を備え、
前記集塵部は、前記室内の床に開口されて床下に設けられ、
前記送風装置は、前記集塵部の上方に、前記床との間に上下方向の間隔を空けて設けられた送風時位置での送風時に、前記天井に向けて送風を吹き出し、前記天井から前記床へ下降した空気を、前記送風装置と床との間の前記間隔部分を前記吸入口として吸い込む循環送風を形成するように、前記集塵部に対向する下側から吸入して、前記室内の天井に向けて前記送風装置に設けた前記吹出口から送風を吹き出し、
前記フィルタは、前記送風装置内に設けられ、
前記送風装置は、昇降機構により前記集塵部内に収容された収容位置と、前記床との間に前記間隔を空けて前記床上に配置された前記送風時位置とに昇降可能に支持されていることを特徴とする除塵装置。
【発明の詳細な説明】
【技術分野】
【０００１】
本発明は、室内の空気中に含まれた埃や床などに落ちた埃、塵などを取り除く除塵装置に関する。
【背景技術】
【０００２】
従来、送風を利用して室内の埃や塵を取り除く除塵装置が知られている（例えば、特許文献１参照）。
この従来の除塵装置は、ファンから室内に送風を送り、床下ダクトを介してファンに環流させ、この送風に含まれる微粒子をフィルタで除去するようになっている。
【先行技術文献】
【特許文献】
【０００３】
【特許文献１】実開昭６２−１２７４３６号公報
【発明の概要】
【発明が解決しようとする課題】
【０００４】
しかしながら、上述のような従来の除塵装置にあっては、微粒子の除去は可能であるが埃や塵が床下ダクト手前の吸入口のフィルタに溜まり、室内が汚れて見えるという問題があった。
【０００５】
本発明は、上述の問題を解決することを目的とするものであり、空気中や床上の埃や塵の効率的な除去を可能とする除塵装置を提供することを目的としている。
【課題を解決するための手段】
【０００６】
上記目的を達成するために、請求項１に係る発明は、
室内に開口された吹出口から送風を吹き出すとともに前記室内に設けられた吸入口から室内空気を吸い込み、この吸入空気を前記吹出口から吹き出す循環送風を形成する送風装置と、
前記吸入口近傍に設けられ、前記循環送風により運ばれる埃や塵を集める集塵部と、
前記集塵部よりも下流において前記循環送風の経路中に配置され、前記循環送風に含まれる埃や塵を除去して濾過するフィルタと、
を備え、
前記集塵部は、前記室内の床に開口されて床下に設けられ、
前記送風装置は、前記集塵部の上方に、前記床との間に上下方向の間隔を空けて設けられた送風時位置での送風時に、前記天井に向けて送風を吹き出し、前記天井から前記床へ下降した空気を、前記送風装置と床との間の前記間隔部分を前記吸入口として吸い込む循環送風を形成するように、前記集塵部に対向する下側から吸入して、前記室内の天井に向けて前記送風装置に設けた前記吹出口から送風を吹き出し、
前記フィルタは、前記送風装置内に設けられ、
前記送風装置は、昇降機構により前記集塵部内に収容された収容位置と、前記床との間に前記間隔を空けて前記床上に配置された前記送風時位置とに昇降可能に支持されていることを特徴とする除塵装置とした。
【発明の効果】
【００１３】
本発明では、送風時位置で送風装置を送風作動させると、送風口から天井に向けて送風を吹き出し、天井から床へ下降した空気を、送風装置と床との間の間隔部分を吸入口として送風装置に吸入する循環送風が形成される。
この循環送風により床に沿って運ばれる埃や塵は、送風装置と床との間隔部分から集塵部の上方を通過する際に、この隙間から上方に移動できない重量の重めの埃や塵は集塵部に落下する。また、軽量な埃や塵は、集塵部の上方の送風装置に吸入され、送風装置に設けられたフィルタにより除去される。
さらに、本発明では、送風装置が、昇降機構により集塵部内に収容された収容位置と、床との間に間隔を空けて床上に配置された送風時位置とに昇降される。
【図面の簡単な説明】
【００１８】
【図１】図１は、本発明の実施の形態１の除塵装置Ａを示す断面図である。
【図２】図２は、実施の形態１の除塵装置Ａの要部を示す斜視図であって、送風装置２０を送風時位置に上昇させた状態を示している。
【図３】図３は、実施の形態１の除塵装置Ａの要部を示す斜視図であって、送風装置２０を収容位置に下降させた状態を示している。
【図４】図４は、実施の形態１の除塵装置Ａの要部を示す分解斜視図であって、送風装置２０のハウジング２１の底面を示している。
【図５】図５は、実施の形態２の除塵装置Ｂを示す断面図である。
【図６】図６は、実施の形態３の除塵装置Ｃを示す断面図である。
【図７】図７は、実施の形態４の除塵装置Ｃｂを示す断面図である。
【図８】図８は、実施の形態５の除塵装置Ｄを示す断面図である。
【図９】図９は、実施の形態５の除塵装置Ｄの配置を示す平面図である。
【図１０】図１０は、実施の形態５の除塵装置Ｄの要部を示す斜視図である。
【図１１】図１１は、実施の形態６の除塵装置Ｅを示す斜視図である。
【図１２】図１２は、実施の形態６の除塵装置Ｅの要部を示す断面図である。
【図１３】図１３は、実施の形態６の除塵装置Ｅの変形例を示す斜視図である。
【図１４】図１４は、実施の形態６の除塵装置Ｅの変形例を示す斜視図である。
【図１５】図１５は、実施の形態７の除塵装置Ｆを示す断面図である。
【図１６】図１６は、実施の形態８の除塵装置Ｇを示す斜視図である。
【発明を実施するための形態】
【００１９】
以下、本発明の実施の形態について、添付図面を参照しながら説明する。
（実施の形態１）
まず、図１〜図４に基づいて、実施の形態１の除塵装置Ａについて説明する。
この実施例１の除塵装置Ａは、図１に示す居室ＲＭに設置されている。
この居室ＲＭは、水平方向の四方を壁ＷＬに囲まれ、上部が天井ＣＥで覆われている。
【００２０】
床ＦＬは、平面視で四角形に形成されており、その四角形の中央部に、集塵部１０が凹設されている。この集塵部１０は、後述する矩形の送風装置２０を収容可能な大きさの矩形形状に形成されている。
【００２１】
また、集塵部１０の上端部は、図２に示すように、四角形の開口部１１が床ＦＬに開口されており、この開口部１１は、図３に示す板状の蓋１２により開閉される。なお、蓋１２の上面は、床ＦＬと同じ素材で形成されており、開口部１１を閉じた際には、蓋１２が床ＦＬと一体的な外観となる。
【００２２】
送風装置２０は、矩形箱状のハウジング２１を備え、内部にモータｍｏおよびファンｆａが収容されている。また、ハウジング２１の下面には、吸入口２１ａが開口され、一方、ハウジング２１の上面に吹出口２１ｂが開口されている。
なお、ハウジング２１の下面には、吸入口２１ａの開口面積を可変として吸入力を任意に変更するための図４に示す円盤状のシャッタ板２３が回動可能に取り付けられている。このシャッタ板２３には、複数の吸入口２１ａと重なるように吸入口２１ａと同寸法の開口２３ａが形成されており、両者２１ａ，２３ａが上下に重なっている状態では吸入口２１ａの開口面積が最大となり、この状態からシャッタ板２３を回動させると、その回動量に応じて吸入口２１ａの開口面積が狭まるように構成されている。
また、ハウジング２１は、昇降機構３０により、図３に示すように、ハウジング２１が集塵部１０の開口部１１よりも下方に完全に収容された収容位置と、図１および図２に示すように、ハウジング２１の底面が床ＦＬよりも上方に配置された送風時位置との間で、上下に昇降可能に支持されている。なお、この昇降は、モータなどの駆動手段を用いて行ってもよいし、手動で行ってもよい。
さらに、昇降機構３０は、ハウジング２１が床ＦＬよりも上昇した送風時位置で、ハウジング２１の下面と床ＦＬとの間隔を任意に微調整可能に構成されている。また、この微調整の範囲で、ハウジング２１の高さを維持するロック機構（図示省略）が設けられている。
【００２３】
ファンｆａは、回転時にハウジング２１の下面の吸入口２１ａから空気を吸い込み、上面の吹出口２１ｂから上方の天井に向けて送風するように形成されている。また、吹出口２１ｂには、天井に向かう送風が渦巻流を形成するフィン２１ｆが設けられている。
さらに、ハウジング２１の下側には、吸入口２１ａを覆って除塵用のフィルタ２２が着脱可能に設けられている。
また、集塵部１０には、埃や塵を溜めるカゴ１３が、集塵部１０に出し入れ可能に設置されている。
【００２４】
次に、実施の形態１の作用を説明する。
（非使用時）
非使用時には、昇降機構３０の作動に基づいて送風装置２０を収容位置に配置し、集塵部１０に収容する。そして、集塵部１０の開口部１１を、図３に示すように蓋１２で塞ぐことにより、床ＦＬは平らとなる。
【００２５】
（除塵時）
次に、除塵を行う際には、昇降機構３０により送風装置２０を、図１，図２に示す送風時位置まで上昇させる。
そして、送風装置２０のファンｆａを回転させると、居室ＲＭには下記の循環送風Ｗ１が形成される。すなわち、送風装置２０は、ハウジング２１の下面の吸入口２１ａから空気を吸い込み、吹出口２１ｂから天井ＣＥに向けて、図において矢印で示すような渦巻流の送風を吹き出す。さらに、この送風は、天井ＣＥに衝突した後、天井ＣＥに沿って四周の壁ＷＬ側に移動し、四周の壁ＷＬに沿って下降する。さらに、床ＦＬの表面に沿って床ＦＬの中央方向へ進み、ハウジング２１と床ＦＬとの間の隙間ＳＰを床ＦＬの高さに設けた吸入口として集塵部１０の上部に吸入され、さらに、ハウジング２１の下面のハウジング２１の吸入口２１ａから送風装置２０内に吸入される。
【００２６】
したがって、居室ＲＭにこのような循環送風Ｗ１が形成されることにより、空気中の微小な埃や塵、および床ＦＬの上の埃や塵が、床ＦＬとハウジング２１との間から集塵部１０の上部に吸入される。
よって、これらの埃や塵のうち、重量を有したものは、集塵部１０に落下してカゴ１３に溜められる。また、これらの埃や塵のうち軽量のものは、循環送風Ｗ１と一緒に上方に向かい、フィルタ２２で除去される。
以上のようにして、カゴ１３に落ちた埃や塵は、カゴ１３を集塵部１０から取り出して、捨てることができる。また、フィルタ２２は、定期的に掃除して、フィルタ２２で濾過された埃や塵を除去する。
【００２７】
また、送風装置２０は、その高さを送風時位置で上下できる。これにより、ハウジング２１と床ＦＬとの間で形成される隙間ＳＰの上下間隔が可変であり、この上下間隔を狭めることで、送風の速度を上昇させ、この隙間ＳＰへの吸込力を強くすることができる。
【００２８】
さらに、シャッタ板２３を回動させ、送風装置２０の吸引力を任意に変更できる。すなわち、シャッタ板２３の回動に基づく吸入口２１ａの開口面積に応じ、開口面積が大きいほど、開口面積が小さい場合と比較して吸引力が大きくなる。
【００２９】
以上説明した実施の形態１の除塵装置は、以下に列挙する効果を奏する。
ａ）送風装置２０により形成された循環送風Ｗ１により、居室ＲＭの床ＦＬ上の埃や塵が集塵部１０内のカゴ１３に集められ、集塵部１０に落下しない埃や塵は、フィルタ２２により除去されるようにした。
したがって、居室ＲＭ内の埃や塵を効率的に除去できる。
特に、本実施の形態１では、集塵部１０にカゴ１３を設け、このカゴ１３内に集塵するようにしたため、カゴ１３を設けないものと比較して除去が容易である。
【００３０】
ｂ）送風装置２０は、非使用時には、集塵部１０内に収容するようにしたため、非使用時には、居室ＲＭスペースに突出するものが無く、使い勝手に優れる。
しかも、この送風装置２０を収容するスペースを埃や塵を集める集塵部１０として使用するため、空間効率に優れる。
【００３１】
ｃ）送風装置２０は、送風時に、天井ＣＥに向かって渦流を形成するため、天井ＣＥ当たった送風が、四周の壁ＷＬの方向に向かいやすい。このため、循環送風Ｗ１は、床ＦＬの上では、外側の壁ＷＬに近い位置から中央の送風装置２０へ向かい、床ＦＬの上の埃や塵を広い範囲で集めることができる。
【００３２】
ｄ）昇降機構３０は、送風装置２０を送風時位置で高さを調整可能として、ハウジング２１と床ＦＬとの隙間ＳＰの上下方向の間隔を調整可能とし、これにより、送風の吸入速度を調整可能とした。
したがって、埃や塵の集塵部１０への吸込力の調節が可能であり、使い勝手に優れる。
【００３３】
ｅ）ハウジング２１に吸入口２１ａの開口面積を調整可能なシャッタ板２３を設けたため、このシャッタ板２３を回動させることにより送風装置２０の吸引力を任意に変更可能であり、使い勝手に優れる。
【００３４】
（他の実施の形態）
以下に、他の実施の形態について説明する。なお、これら他の実施の形態の説明にあたり、実施の形態１と同一あるいは均等の構成には、実施の形態１と同一の符号を付けてその説明を省略する。
（実施の形態２および実施の形態３）
実施の形態２および実施の形態３は、実施の形態１の変形例である。
＜実施の形態２＞
まず、図５に示す実施の形態２の除塵装置Ｂについて説明する。
この実施の形態２は、送風装置２０のハウジング２１の上面に、整流筒２４を設けた例である。
この整流筒２４は、塩化ビニル樹脂などを素材として筒状に形成されているとともに、送風装置２０から内部空間に送風可能に取り付けられている。また、外周には、複数の吹出穴２４ａが、筒の軸方向および周方向に複数開口されている。
【００３５】
したがって、送風装置２０の送風作動時には、整流筒２４が図示のように柱状に起立し、かつ、吹出穴２４ａから居室ＲＭの四周の壁ＷＬの方向へ送風が吹き出され、壁ＷＬにぶつかった後、実施の形態１と同様に、床ＦＬに沿って居室ＲＭの中央に進み、ハウジング２１と床ＦＬとの隙間ＳＰを通って、吸入口２１ａからハウジング２１内へ吸入される循環送風Ｗ２が形成される。
この循環送風Ｗ２において、整流筒２４によりあらゆる高さから四周の壁ＷＬの方向へ送風が吹き出されるため、空気中に浮遊する埃や塵の集塵性能に優れる。
【００３６】
また、送風装置２０の送風作動停止時には、整流筒２４は、柱状の形状保持性を失い、小さく折り畳んで送風装置２０と共に集塵部１０に収容することができる。
なお、送風装置２０からの吹出口２１ｂには、渦巻流を形成するフィンなどを設ける必要はない。
また、他の作用効果については、実施の形態１と同様であり、上記のａ）ｂ）ｄ）ｅ）の効果を得ることができる。
【００３７】
＜実施の形態３＞
図６に示す実施の形態３の除塵装置Ｃは、実施の形態２で示した整流筒２４の変形例である。
図６に示す整流筒２５は、硬質の樹脂などにより幹状の本体部２５ａと、この本体部２５ａから複数に枝分かれした複数の枝部２５ｂとを備えたツリー形状に形成されている。本体部２５ａには、実施の形態２と同様に、下端部から上方へ向けて送風装置２０から送風が送られる。枝部２５ｂは、その先端部に吹出穴２５ｃが開口されている。
【００３８】
したがって、送風装置２０の送風作動時は、整流筒２５の各枝部２５ｂの先端部に開口された吹出穴２５ｃから壁ＷＬの方向へ吹き出され、壁ＷＬにぶつかった後、実施の形態１と同様に、床ＦＬに沿って居室ＲＭの中央に進み、ハウジング２１と床ＦＬとの隙間ＳＰを通って、吸入口２１ａからハウジング２１内へ吸入される循環送風Ｗ３が形成される。
【００３９】
この実施の形態３にあっても、送風装置２０から吹き出される送風が整流筒２５によりあらゆる高さから、四周の壁ＷＬの方向へ吹き出されるため、空気中に浮遊する埃や塵の集塵性能に優れる。
また、本実施の形態３では、整流筒２５を居室ＲＭの装飾具として用いることができる。なお、他の作用効果については、実施の形態１と同様であり、上記のａ）ｄ）ｅ）の効果を得ることができる。
【００４０】
＜実施の形態４＞
図７に示す実施の形態４の除塵装置Ｃｂは、実施の形態３で示した整流筒２５の変形例である。
図７に示す整流筒２６は、硬質の樹脂などにより送風装置２０から上方に延びる管状の本体部２６１と、この本体部２６１から斜めに延びる一対の管状の枝部２６２，２６３と、これら本体部２６１および枝部２６２，２６３の先端に連通されて扇状に延在された外吹出周管２６４とを備えた形状に形成されている。本体部２６１には、実施の形態３と同様に、下端部から上方へ向けて送風装置２０から送風が送られる。外周吹出管２６４は、上縁部に沿って複数の吹出穴２６４ａが開口されている。
【００４１】
したがって、送風装置２０の送風作動時は、外周吹出管２６４に開口された各吹出穴２６４ａから天井ＣＬ方向へ送風が吹き出され、矢印Ｗ３ｂで示すように、下方に下りて床ＦＬに沿って居室ＲＭの中央に進み、ハウジング２１と床ＦＬとの隙間ＳＰを通って、吸入口２１ａからハウジング２１内へ吸入される循環送風Ｗ３ｂが形成される。
なお、他の作用効果については、実施の形態１と同様であり、上記のａ）ｄ）ｅ）の効果を得ることができる。
【００４２】
（実施の形態５）
実施の形態５の除塵装置Ｄを図８〜図１０に基づいて説明する。
実施の形態５の除塵装置Ｄは、図８に示すように、送風装置２２０および集塵部２０３を壁面収納家具２００内に一体に設けた例である。
【００４３】
この壁面収納家具２００は、本実施の形態２では、図９の平面図に示すように、第１の居室ＲＭ１と第２の居室ＲＭ２とを区画して設けられ、それぞれの居室ＲＭ１，ＲＭ２に向かって開閉される収納部分を備えている。
このような壁面収納家具２００の端部に、各居室ＲＭ１，ＲＭ２に向けて一対の除塵装置Ｄ，Ｄが設けられている。
各除塵装置Ｄ，Ｄは、背中合わせで対称に設置されているため、図８では、一方の居室ＲＭ１の除塵を行う一方の除塵装置Ｄのみを示している。
【００４４】
除塵装置Ｄは、上下方向に沿って箱状の収容部２０１を備えている。この収容部２０１は、背面に図示を省略してもう一方の居室ＲＭ２側の収容部２０１と区画する間仕切り２０２が設けられている。
【００４５】
収容部２０１は、上下方向で下端部の集塵部２０３と、中間の中間収容部２０４と、上部の装置収容部２０５とに、相互に空気の流通が可能な状態で区画されている。
さらに、収容部２０１は、壁面収納家具２００と外観を統一して、集塵部２０３の前面と、中間収容部２０４の前面と、装置収容部２０５の前面とが、壁面収納家具２００の他の開閉扉と同様の材質の開閉扉２０３ｄ，２０４ｄ，２０５ｄで開閉可能に覆われている。なお、各開閉扉２０３ｄ，２０４ｄ，２０５ｄは、それぞれ、上端部を中心に回動可能に取り付けられている。
【００４６】
集塵部２０３は、居室ＲＭ１に面した前面に開口部２０３ａを備え、さらに内部には前面が開口したカゴ２０６が設置されており、開口部２０３ａから出し入れ可能となっている。あるいは、集塵部２０３の側面にカゴ２０６の出入口を設けてもよい。なお、カゴ２０６は、送風の通過は許しながら埃や塵は遮断するメッシュ状の素材で形成されている。
【００４７】
集塵部２０３と中間収容部２０４との区画部分は、送風が通過可能に枠状あるいはメッシュ状に形成され、さらに、フィルタ２０７が着脱可能に設けられている。
中間収容部２０４と装置収容部２０５とは、上下に空気の流通が可能な枠状あるいはメッシュ状の素材の区画部材２０８で区画されている。
【００４８】
送風装置２２０は、図１０に拡大して示すように、上から順に送風装置本体２２１、清浄ボックス２２２、ゴミ収集ボックス２２３を備えている。
送風装置本体２２１は、吸入口が下方の清浄ボックス２２２に開口されており、下方の清浄ボックス２２２から吸入した空気を、前部に開口した吹出口２２１ａから居室ＲＭ１に向けて送風するもので、内部にファンおよびモータを備えている。なお、吹出口２２１ａの前面は、壁面収納家具２００を覆う扉とデザイン的に統一された図示を省略したルーバにより覆われている。
【００４９】
清浄ボックス２２２は、金属あるいは樹脂により四角の箱状に形成され、下方あるいは側部に設けられた吸入口（図示省略）から吸い込んだ空気が上方の送風装置本体２２１に向かって通過する過程で浄化するもので、上下方向に複数のフィルタ２２２ａ，２２２ｂ，２２２ｃが積層されている。なお、フィルタ２２２ａ〜２２２ｃとしては、本実施例４では、除塵用のものおよび脱臭用のものが用いられている。
【００５０】
ゴミ収集ボックス２２３は、金属あるいは樹脂により四角の箱状に形成され、清浄ボックス２２２の底部に溜まったゴミを集めるもので、中間収容部２０４に配置され、かつ、清浄ボックス２２２の底面に開口された接続パイプ２２４が区画部材２０８を貫通して接続されている。さらに、ゴミ収集ボックス２２３の側面には、図示を省略するが、塵取出口が開口されており、また、内部には、清浄ボックス２２２から落下したゴミを受け止めるカゴが、塵取出口から出し入れ可能に収容されている。
【００５１】
（実施の形態５の作用）
次に、実施の形態５の作用を説明する。
（非使用時）
非使用時には、収容部２０１の集塵部２０３、中間収容部２０４、装置収容部２０５は、それぞれ開閉扉２０３ｄ，２０４ｄ，２０５ｄで覆われており、壁面収納家具２００の一部を構成する外観を成している。
【００５２】
（除塵時）
除塵時には、必要に応じ、開閉扉２０３ｄと開閉扉２０４ｄと開閉扉２０５ｄのいずれかを開いた状態に保持して、送風装置２２０を作動させる。
＜床除塵時＞
例えば、床ＦＬを重点的に除塵したい場合は、図８に示すように開閉扉２０３ｄを開き、他の開閉扉２０４ｄ，２０５ｄは閉じた状態で送風装置２２０を送風作動させる。この場合、床ＦＬの表面近傍の空気が点線の矢印Ｗ４ａで示すように収容部２０１の下部に吸入され、収容部２０１に沿って上方に移動し、吹出口２２１ａから居室ＲＭ１の上部に吹き出される。さらに、この居室ＲＭ１の上部に吹き出された送風は、矢印で示すように、正面の壁ＷＬにぶつかり、壁ＷＬに沿って下方へ移動し、さらに、床ＦＬに沿って移動し、再び、収容部２０１の下部に吸入される循環送風Ｗ４が形成される。
【００５３】
そして、このとき、床ＦＬの上に落ちている埃や塵は、この循環送風Ｗ４に沿って運ばれて集塵部２０３のカゴ内に集められる。なお、この際に、モップやほうきなどを使用して床ＦＬに落ちた塵を集塵部２０３に向かって集めることで、送風のみでは集めきれない重量を有した塵なども集塵部２０３に集めることもできる。
また、集塵部２０３に集められた埃および塵のうち、カゴ２０６を通過したものは、循環送風Ｗ４で上方に運ばれ、清浄ボックス２２２を通過する際に、フィルタ２２２ａ〜２２２ｃにより除去される。
さらに、清浄ボックス２２２まで上昇した埃や塵のうち、フィルタ２２２ａ〜２２２ｃに達しなかったものは、清浄ボックス２２２の底部に落下し、さらに、ゴミ収集ボックス２２３へ落下する。こうしてゴミ収集ボックス２２３のカゴ（図示省略）内に落下する。
【００５４】
以上のようにして、集塵部２０３のカゴ２０６に溜まった埃や塵は、開閉扉２０３ｄを開いてかごを取り出して捨てることができる。また、ゴミ収集ボックス２２３のカゴ（図示省略）に溜まった埃や塵も、ゴミ収集ボックス２２３の塵取出口から取り出して、捨てることができる。
【００５５】
＜物品除塵時＞
上記の作動において、中間収容部２０４に収容した物品の清浄を行うこともできる。
例えば、帰宅後に上着、帽子などに付着した花粉などのアレルギー抗原物質や埃やウイルスの除去を行ないたい場合には、この上着や帽子などを中間収容部２０４に収容した上で上記と同様の動作を行う。
【００５６】
これにより、収容部２０１を上から下に向かう送風が中間収容部２０４を通過し、この際に、中間収容部２０４に収容した物品に付着した埃や塵などが除去される。さらに、物品から除去された埃や塵は、送風に乗って清浄ボックス２２２を通過する際にフィルタ２２２ａ〜２２２ｃにより送風から除去される。
【００５７】
＜居室ＲＭ１の空気清浄時＞
居室ＲＭ１に埃が舞うような状況において、空気の清浄を中心に行いたい場合、開閉扉２０４ｄと開閉扉２０５ｄのいずれかを開いて送風装置２２０を作動させる。
開閉扉２０４ｄを開いた場合、居室ＲＭ１の空気の上下方向で中間部分の空気が主体となって中間収容部２０４に吸入され、さらに、中間収容部２０４から清浄ボックス２２２を介して送風装置２２０に吸入される。
したがって、この場合は、吹出口２２１ａから吹き出された送風が、天井ＣＥの近傍を通って、壁ＷＬにぶつかった後、上下方向の中間部から中間収容部２０４に向かうような循環送風が形成され、この循環送風が清浄ボックス２２２を通過する際に、フィルタ２２２ａ〜２２２ｃにより埃や塵の除去が成される。
【００５８】
一方、開閉扉２０５ｄを開いた場合は、点線の矢印Ｗ４ｃに示すように居室ＲＭ１の空気の上部の空気が主体で装置収容部２０５に吸入され、さらに、清浄ボックス２２２を介して送風装置２２０に吸入される。
したがって、この場合は、吹出口２２１ａから吹き出された送風が、天井ＣＥの近傍を通って、壁ＷＬにぶつかった後、居室ＲＭ１の上部から装置収容部２０５に向かうような循環送風流が形成され、この循環送風流が清浄ボックス２２２を通過する際に、フィルタ２２２ａ〜２２２ｃにより埃や塵の除去が成される。
【００５９】
（実施の形態５の効果）
以上説明した実施の形態５の除塵装置Ｄは、以下に列挙する効果が得られる。
Ａ）送風装置２２０により形成された循環送風Ｗ４により、居室ＲＭの床ＦＬ上の埃や塵が集塵部２０３内のカゴ２０６に集められ、また、カゴ２０６で集められずに循環送風に乗って上方に向かった微小な埃や塵は、清浄ボックス２２２に設けられたフィルタ２２２ａ〜２２２ｃにより除去および脱臭される。
このように、居室ＲＭ内の埃や塵は、集塵部２０３およびフィルタ２２２ａ〜２２２ｃに集められるため、除去が容易である。
特に、本実施の形態１では、集塵部２０３にカゴ２０６を設け、このカゴ２０６内に集塵するようにしたため、カゴ２０６を設けないものと比較して除去が容易である。
【００６０】
Ｂ）送風装置２２０は、壁面収納家具２００内に収容状態で設置されているため、居室ＲＭ１、ＲＭ２のスペースに突出するものが無く、使い勝手に優れる。
【００６１】
Ｃ）送風装置２２０は、送風時に、天井ＣＥから壁ＷＬにぶつかり、床ＦＬに沿って集塵部２０３に向かう循環送風Ｗ４を形成するため、床ＦＬの上の埃や塵と、居室ＲＭ１，ＲＭ２の空気中の埃や塵の両方を効率的に除去することができる。
【００６２】
Ｄ）収容部２０１は、上下方向で集塵部２０３、中間収容部２０４、装置収容部２０５に区画し、そのいずれからでも選択的に居室ＲＭ１，ＲＭ２の空気を吸い込むことができるようにしたため、床ＦＬの上を主体とした除塵、居室ＲＭ１，ＲＭ２の上下方向の中間部分の空気を主体とした除塵、居室ＲＭ１，ＲＭ２の天井ＣＥの付近の上部の空気を主体とした除塵とを選択的に行なうことが可能となった。
【００６３】
Ｅ）収容部２０１内に中間収容部２０４を設け、この中間収容部２０４に収容した物品の除塵および脱臭を可能とした。これにより、帰宅後の上着や帽子などの除塵、ペットのトイレの脱臭などが可能であり、使い勝手に優れる。
【００６４】
（実施の形態６および実施の形態７）
次に、実施の形態５の変形例である実施の形態６，６について説明する。
＜実施の形態６＞
実施の形態６の除塵装置Ｅは、図１１の斜視図に示すように、室内置きタイプのものである。
この除塵装置Ｅは、居室ＲＭのコーナ部に設置可能に上方から見て直角三角形を成す三角筒状に形成されている。そして、図１２の断面図に示すように、下部に送風装置３２０と集塵部３１０とが設けられ、上部に収納棚部３３０が設けられている。なお、収納棚部３３０は、図１１に示すように、前面に開閉扉３３１が設けられ、内部は図示を省略した複数段の棚が設けられている。
【００６５】
集塵部３１０は、前面に開口部（吸入口）３１１を備え、図１２に示すようにその奥に埃および塵を集めるためのカゴ３１３が開口部３１１から出入可能に設置されている。なお、カゴ３１３は、送風の通過は許しながら埃や塵は遮断するメッシュ状の素材で形成されている。
【００６６】
送風装置３２０は、集塵部３１０から空気を吸い込み、図１１に示すように、開口部３１１の左右両側に接続された送風ダクト３４０の内部に吹き出すように構成されている。また、送風装置３２０とカゴ３１３との間には、フィルタ３１４が設けられている。
送風ダクト３４０は、壁ＷＬの下端部に沿って配索され、かつ、床ＦＬに沿って送風を吹き出す吹出突起３４１が複数設けられている。各吹出突起３４１は、その先端に送風を吹き出す吹出穴３４２が開口され、かつ、送風ダクト３４０に対して吹出穴３４２を任意の方向に変更可能に取り付けられている。
また、吹出口３４２は、開口の大きさを全開から全閉の範囲で変更するシャッタ（図示省略）を設け、各吹出口３４２から吹き出される風量を調整可能とするとより好ましい。
【００６７】
したがって、送風装置３２０の作動時には、送風ダクト３４０の吹出穴３４２から吹き出された床ＦＬの中央方向に吹き出された送風が、中央で集まった後、開口部３１１から吸入される循環送風Ｗ５が形成される。
【００６８】
このとき、床ＦＬの上の埃や塵は、開口部３１１から集塵部３１０に吸入され、その奥に配置されたカゴ３１３に集められる。また、カゴ１３を通り抜けた微小な埃や塵は、フィルタ３１４で除去される。そして、カゴ３１３に集めた埃や塵は、カゴ３１３を開口部３１１から出して、まとめて捨てることができる。
【００６９】
図１３は、実施の形態６の変形例であり、送風ダクト３４０に加え、この送風ダクト３４０と同様の構造の中間送風ダクト３５０、上部送風ダクト３６０を設置した例である。なお、これらの送風ダクト３５０，３６０との接続は、図１２に示す収納棚部３３０の背面に設けられた空間３８０を利用している。また、各送風ダクト３５０，３６０には、それぞれ吹出穴３５２，３６２を備えた吹出突起３５１，３６１が取り付けられている。
【００７０】
この変形例の場合は、送風装置３２０の作動時には、各送風ダクト３４０，３５０，３６０の吹出穴３４２，３５２，３６２から、それぞれ、床ＦＬの上、居室ＲＭの中間部、天井ＣＥの近傍に吹き出された後、開口部３１１から吸入される循環送風Ｗ６が形成される。
よって、床ＦＬに落ちたり空気中に浮遊したりしている埃および塵が集塵部３１０のカゴ３１３に集められる。
なお、送風装置３２０を、壁掛けとしたり天井付けとしたりして、空気中に浮遊している埃や塵を集めるようにしてもよい。
【００７１】
図１４も実施の形態６の変形例であり吹出チューブの変形例を示している。
この図１４に示す送風ダクト３７０は、居室ＲＭの床ＦＬの全周縁に亘って配索されている。この送風ダクト３７０も詳細な図示は省略するが、実施の形態６で示した吹出突起３４１および吹出穴３４２が設けられている。
したがって、この変形例では、居室ＲＭの床ＦＬの全周から任意の方向に送風を吹き出して床上の埃や塵を集塵部３１０に集めることができる。
【００７２】
＜実施の形態７＞
次に、図１５に示す実施の形態７の除塵装置Ｆについて説明する。
実施の形態７の除塵装置Ｆは、床ＦＬの中央部に集塵部６１０が凹設され、さらに、この集塵部６１０の下方に送風装置６２０が設置されている。
【００７３】
集塵部６１０は、実施の形態１と同様に床ＦＬに吸入口としての開口部６１１が開口され、この開口部６１１が蓋（図示省略）で開閉され、内部には集塵用のカゴ６１３が設けられている。このカゴ６１３は、送風の通過は許しながら埃や塵は遮断するメッシュ状の素材で形成されており、底部には埃や塵の遮断性を高めたフィルタ６１４が着脱可能に設けられている。
【００７４】
送風装置６２０は集塵部６１０から空気を吸入し、送風路６４０，６４０を介して壁ＷＬの下部に設けられた吹出口６４１から床ＦＬの中央方向へ送風可能に構成されている。
【００７５】
除塵時には、図示を省略した蓋を開いて集塵部６１０が床ＦＬに開口した状態で送風装置６２０を作動させる。これにより、居室ＲＭの空気が集塵部６１０に吸入され、カゴ６１３およびフィルタ６１４を通過して送風装置６２０に吸入され、さらに、吹出口６４１，６４１から居室ＲＭに吹き出し、床ＦＬに沿って進み、再び、集塵部６１０に吸入される循環送風Ｗ６が形成される。
【００７６】
この循環送風Ｗ６により、居室ＲＭの空気中に浮遊した埃や塵および床ＦＬに落ちている埃や塵が、集塵部６１０に吸入され、カゴ６１３およびフィルタ６１４に集められ、除塵される。
そして、実施の形態１と同様に、カゴ６１３を集塵部６１０から出してカゴ６１３に溜まった埃や塵をまとめて捨てることができる。
【００７７】
（実施の形態８）
次に、図１６に示す実施の形態８の除塵装置Ｇについて説明する。
実施の形態８の除塵装置Ｇは、１枚の壁ＷＬの下部に集塵部７１０が、上部に送風装置７２０が設けられ、両者はダクト７３０で接続されている。
【００７８】
集塵部７１０は、実施の形態６で示した集塵部３１０と同様に、前面に吸入口７１１が設けられ、その内部に図示を省略したカゴおよびフィルタが設けられている。このカゴも、送風は通過させるが埃や塵は遮断するメッシュ状に形成されているものとする。
【００７９】
送風装置７２０は、内部に図示を省略したモータおよびファンを備え、ダクト７３０を介して集塵部７１０から空気を吸入し、吹出ダクト７２１，７２２から居室ＲＭへ吹き出すよう構成されている。吹出ダクト７２１，７２２は、可撓性を有した樹脂あるいは金属などで形成されており、その先端の吹出口の向き、すなわち、送風方向を任意の方向に向けることができる。
【００８０】
さらに、本実施の形態８では、複数の送風案内部材７４０，７５０，７６０が壁ＷＬに取り付けられている。これらの送風案内部材７４０，７５０，７６０は、それぞれ、導入口７４１，７５１，７６１に導入された送風を、送風口７４２，７５２，７６２から送風するもので、可撓性を有しており、導入口７４１，７５１，７６１および送風口７４２，７５２，７６２の向きを任意の方向に向けることが可能に形成されている。
【００８１】
本実施の形態８では、送風案内部材７４０は、家具ＦＮの上面に埃が溜まるのを防止するために設置されており、導入口７４１を吹出ダクト７２１に向ける一方、送風口７４２を家具ＦＮの上面および図において居室ＲＭの手前のコーナ部に向けている。
【００８２】
送風案内部材７５０は、送風案内部材７４０から吹き出された送風を、集塵部７１０に向けるよう、導入口７５１を送風案内部材７４０の送風口７４２に向ける一方、送風口７５２を集塵部７１０の吸入口７１１に向けている。
【００８３】
送風案内部材７６０は、吹出ダクト７２２からの送風を、床ＦＬに沿って集塵部７１０に向けるためのもので、導入口７６１を吹出ダクト７２２に向ける一方、送風口７６２を集塵部７１０に向けている。
なお、以上説明した送風案内部材７４０，７５０，７６０は、それぞれ、送風の向きを変えるだけでもよいが、内部にファンを設けて、この送風に補助的な推進力を与えるようにしてもよい。
また、吸入口７１１には、シャッタや扉（例えば、実施の形態５で示した扉２０３ｄなど）を設け、風量の調整を可能としてもよい。
【００８４】
集塵時には、送風装置７２０を作動させると、両吹出ダクト７２１，７２２から居室ＲＭに送風され、吹出ダクト７２１からの送風は、送風案内部材７４０に向かって進んだ後、送風案内部材７４０により向きを変えられて家具ＦＮの上面を通り、さらに、送風案内部材７５０により向きを変えられて、集塵部７１０に吸入され、そして、集塵部７１０からダクト７３０を通り、送風装置７２０に吸入される循環送風Ｗ７１が形成される。
【００８５】
一方、吹出ダクト７２２からの送風は、送風案内部材７６０に向かって進んだ後、送風案内部材７６０により向きを変えられて床ＦＬの上を通り集塵部７１０に吸入され、さらに、集塵部７１０からダクト７３０を通り、送風装置７２０に吸入される循環送風Ｗ７２が形成される。
【００８６】
したがって、家具ＦＮの上面に埃や塵が溜まるのが防止され、また、床ＦＬの上の埃や塵が集塵部７１０に集められる。なお、集塵部７１０に集まった埃や塵は図示を省略したカゴに集められ、かつ、フィルタで除去される。
【００８７】
以上、本発明の実施の形態について説明したが、本発明はこうした実施の形態に限定されるものではなく、本発明の要旨を逸脱しない範囲内において種々の変形および置換を加えることができる。
【００８８】
例えば、実施の形態では、送風装置として、図示の上ではプロペラファンを示しているが、シロッコファンを用いてもよい。特に、実施の形態１のように渦巻送風を形成するものでは、シロッコファンを用いる方が好ましい。
【００８９】
また、本発明の除塵装置を設置する例として、居室を示したが、設置対象は、室内であれば、廊下や玄関などの居室以外にも設置してよい。
【００９０】
また、実施の形態５では、送風装置２２０および集塵部２０３を有した収容部２０１を壁面収納家具２００に設けた例を示したが、この収容部のみを独立して設けてもよい。
【００９１】
また、本発明の除塵装置に、熱交換器を付加したり室内外の換気装置を付加したりして、室内温度を調整可能としてもよい。
【符号の説明】
【００９２】
１０   集塵部
２０   送風装置
２１ａ 吸入口
２１ｂ 吹出口
２２   フィルタ
３０   昇降機構
２０１ 収容部
２０３ 集塵部
２０３ａ  開口部
２０３ｄ，２０４ｄ，２０５ｄ       開閉扉
２０４ 中間収容部
２０７ フィルタ
２２０ 送風装置
２２１ａ      吹出口
２２２ａ，２２２ｂ，２２２ｃ       フィルタ
３１０ 集塵部
３１１ 開口部（吸入口）
３１４ フィルタ
３２０ 送風装置
３４０ 送風ダクト
３５０ 中間送風ダクト
３６０ 上部送風ダクト
３７０ 送風ダクト
６１０ 集塵部
６１１  開口部（吸入口）
６１４ フィルタ
６２０ 送風装置
６４０ 送風路
６４１ 吹出口
７１０ 集塵部
７１１ 吸入口
７２０ 送風装置
７２１ 吹出ダクト
７２２ 吹出ダクト
７４０ 送風案内部材
７５０ 送風案内部材
７６０ 送風案内部材
Ａ     除塵装置
Ｂ     除塵装置
Ｃ     除塵装置
Ｃｂ   除塵装置
Ｄ     除塵装置
Ｅ     除塵装置
Ｆ     除塵装置
ＦＬ   床
Ｇ     除塵装置
ＲＭ   居室
ＲＭ１ 第１の居室
ＲＭ２ 第２の居室
ＳＰ   隙間（吸入口）
Ｗ１   循環送風
Ｗ２   循環送風
Ｗ３   循環送風
Ｗ４   循環送風
Ｗ５   循環送風
Ｗ６   循環送風
【図１】
0005620307.tif 000002
【図２】
0005620307.tif 000003
【図３】
0005620307.tif 000004
【図４】
0005620307.tif 000005
【図５】
0005620307.tif 000006
【図６】
0005620307.tif 000007
【図７】
0005620307.tif 000008
【図８】
0005620307.tif 000009
【図９】
0005620307.tif 000010
【図１０】
0005620307.tif 000011
【図１１】
0005620307.tif 000012
【図１２】
0005620307.tif 000013
【図１３】
0005620307.tif 000014
【図１４】
0005620307.tif 000015
【図１５】
0005620307.tif 000016
【図１６】
0005620307.tif 000017